(57)【特許請求の範囲】
【請求項１】
複数の入力ポートおよび複数の出力ポートを有し、それぞれ入出力ポート間を任意に接続する第１の光スイッチおよび第２の光スイッチと、
複数の入力光信号をそれぞれ分岐し、前記第１の光スイッチおよび前記第２の光スイッチの各入力ポートに接続する複数の１入力２出力光分岐手段と、
前記第１の光スイッチおよび前記第２の光スイッチの出力ポートからそれぞれ出力される前記１入力２出力光分岐手段で分岐の光信号を入力し、その一方を選択して出力光信号として出力する複数の２入力１出力光切替手段と
を備えた光クロスコネクト装置において、
前記複数の２入力１出力光切替手段の一部または全部について、前記第１の光スイッチおよび前記第２の光スイッチの出力ポートからそれぞれ出力される光信号を入力し、その一方を選択して出力するモードと、各光信号を並列に出力するモードを有する２入力２出力光切替手段に置き換えた
ことを特徴とする光クロスコネクト装置。
【請求項２】
請求項１に記載の光クロスコネクト装置において、
前記２入力２出力光切替手段から並列に出力される２つの出力光信号は、異なる経路の伝送路にそれぞれ送出される構成である
ことを特徴とする光クロスコネクト装置。
【請求項３】
複数の入力ポートおよび複数の出力ポートを有し、それぞれ入出力ポート間を任意に接続する第１の光スイッチおよび第２の光スイッチと、
複数の入力光信号をそれぞれ分岐し、前記第１の光スイッチおよび前記第２の光スイッチの各入力ポートに接続する複数の１入力２出力光分岐手段と、
前記第１の光スイッチおよび前記第２の光スイッチの出力ポートからそれぞれ出力される前記１入力２出力光分岐手段で分岐の光信号を入力し、その一方を選択して出力光信号として出力する複数の２入力１出力光切替手段と
を備えた光クロスコネクト装置において、
前記複数の１入力２出力光分岐手段の一部または全部について、送信側で２分岐して異なる経路の伝送路を介して伝送された２つの入力光信号を入力し、その一方の入力光信号を前記第１の光スイッチまたは前記第２の光スイッチの各入力ポートのいずれかに出力するモードと、前記２つの入力光信号を前記第１の光スイッチおよび前記第２の光スイッチの各入力ポートにそれぞれ並列に出力するモードを有する２入力２出力光切替手段に置き換えた
ことを特徴とする光クロスコネクト装置。
【請求項４】
複数の入力ポートおよび複数の出力ポートを有し、それぞれ入出力ポート間を任意に接続する第１の光スイッチおよび第２の光スイッチと、
複数の入力光信号をそれぞれ分岐し、前記第１の光スイッチおよび前記第２の光スイッチの各入力ポートに接続する複数の１入力２出力光分岐手段と、
前記第１の光スイッチおよび前記第２の光スイッチの出力ポートからそれぞれ出力される前記１入力２出力光分岐手段で分岐の光信号を入力し、その一方を選択して出力光信号として出力する複数の２入力１出力光切替手段と
を備えた光クロスコネクト装置において、
前記複数の１入力２出力光分岐手段の一部または全部について、送信側で２分岐して異なる経路の伝送路を介して伝送された２つの入力光信号を入力し、その一方の入力光信号を前記第１の光スイッチまたは前記第２の光スイッチの各入力ポートのいずれかに出力するモードと、前記２つの入力光信号を前記第１の光スイッチおよび前記第２の光スイッチの各入力ポートにそれぞれ並列に出力するモードを有する第１の２入力２出力光切替手段に置き換え、
前記複数の２入力１出力光切替手段の一部または全部について、前記第１の光スイッチおよび前記第２の光スイッチの出力ポートからそれぞれ出力される光信号を入力し、その一方を選択して出力するモードと、各光信号を並列に出力するモードを有する第２の２入力２出力光切替手段に置き換えた
ことを特徴とする光クロスコネクト装置。
【請求項５】
請求項４に記載の光クロスコネクト装置において、
前記第２の２入力２出力光切替手段から並列に出力される２つの出力光信号をそれぞれ電気信号に変換し、各電気信号の遅延差を調整し、その一方を選択して出力する選択手段を備えた
ことを特徴とする光クロスコネクト装置。
【請求項６】
請求項１に記載の光クロスコネクト装置において、
前記１入力２出力光分岐手段の前段または後段に光波長分離器を備え、前記２入力１出力光切替手段および前記２入力２出力光切替手段の前段または後段に光波長多重器を備えた
ことを特徴とする光クロスコネクト装置。
【請求項７】
請求項３に記載の光クロスコネクト装置において、
前記１入力２出力光分岐手段および前記２入力２出力光切替手段の前段または後段に光波長分離器を備え、前記２入力１出力光切替手段の前段または後段に光波長多重器を備えた
ことを特徴とする光クロスコネクト装置。
【請求項８】
請求項４に記載の光クロスコネクト装置において、
前記１入力２出力光分岐手段および前記第１の２入力２出力光切替手段の前段または後段に光波長分離器を備え、前記２入力１出力光切替手段および前記第２の２入力２出力光切替手段の前段または後段に光波長多重器を備えた
ことを特徴とする光クロスコネクト装置。
【発明の詳細な説明】
【技術分野】
【０００１】
本発明は、複数の光信号の経路を切り替える光クロスコネクト装置に関する。特に、光信号の切り替え処理を行う光スイッチを冗長化し、さらに伝送路の冗長化にも対応可能な光クロスコネクト装置に関する。
【背景技術】
【０００２】
一般に、光ネットワークシステムでは複数の光信号の経路を自在に設定し、切り替えを行うために光クロスコネクト装置が用いられる。光クロスコネクト装置は、複数の光信号入力部および光信号出力部と、これらの入出力部間を接続するスイッチ部を基本構成とし、スイッチ部の制御によって任意の光信号入力部と光信号出力部を一意に接続し、さらに要求に応じてこれらの接続組み合わせの変更を可能とする（特許文献１）。この光クロスコネクト装置のスイッチ部には、構成の簡易さ、コスト、信頼性の観点から光信号を電気信号に変換せずにそのまま切り替えを行う光スイッチを用いることが多い。
【０００３】
このような光クロスコネクト装置を含むノード間を光ファイバ伝送路で接続し、光信号を伝送する光ネットワークシステムの構成例を図９に示す。図９では、簡単のために光クロスコネクト装置１０−１〜１０−４のそれぞれの入出力方路数を２本とし、光クロスコネクト装置１０−１と光クロスコネクト装置１０−２，１０−３がそれぞれ光ファイバ伝送路１，２を介して接続され、光クロスコネクト装置１０−２，１０−３と光クロスコネクト装置１０−４がそれぞれ光ファイバ伝送路３，４を介して接続される構成である。
【０００４】
一般に方路数をＭとすると（Ｍは２以上の整数）、１つの光クロスコネクト装置１０には入出力方路それぞれにＭ本の光ファイバ伝送路が接続される。また、波長多重伝送を行う場合に波長多重数をＮとすると（Ｎは２以上の整数）、Ｍ本の光ファイバ伝送路の光信号は、光波長分離器１１を介してそれぞれＮ本の光信号に分離され、光スイッチ１２の（Ｎ×Ｍ）本の入力ポートに接続される。さらに、光クロスコネクト装置１０でクライアント信号が入出力される場合、Ｋ本のＡddポートから入力するクライアント信号が光スイッチ１２のＫ本の入力ポートに接続される（Ｋは１以上の整数）。光スイッチ１２は、これら（Ｎ×Ｍ＋Ｋ）本の光信号をクロスコネクトして（Ｎ×Ｍ＋Ｋ）本の出力ポートに出力する。このうち、（Ｎ×Ｍ）本の光信号は光波長多重器１３でそれぞれＮ本の光信号が波長多重され、Ｍ本の光ファイバ伝送路にそれぞれ出力されるとともに、Ｋ本のクライアント信号はDropポートに出力される。
【０００５】
なお、光波長多重器１３で波長多重する光信号は、互いに波長が異なっている必要がある一方、各光ファイバ伝送路で波長多重伝送に用いられる波長帯は共通の場合が一般的である。そのため、光波長多重器１３に異なる光ファイバ伝送路から入力した同じ波長の光信号が入力される場合もある。このような場合には、光波長多重器１３の入力部の一部または全部に波長変換器を備え、波長競合が起こった場合にいずれかの波長を変換してから光波長多重器１３に入力する構成をとる。
【０００６】
ここで、図１０を参照し、光クロスコネクト装置１０−１のＡddポートから入力したクライアント信号の経路の例について説明する。このクライアント信号は、光クロスコネクト装置１０−１の光スイッチ１２でクロスコネクトし（図中、実線で示す）、光ファイバ伝送路１に接続された光波長多重器１３で波長多重され、光ファイバ伝送路１を介して光クロスコネクト装置１０−２に伝送される。光クロスコネクト装置１０−２の光波長分離器１１に入力して分離されたクライアント信号は、光スイッチ１２でクロスコネクトし、光ファイバ伝送路３に接続された光波長多重器１３で波長多重され、光ファイバ伝送路３を介して光クロスコネクト装置１０−４に伝送される。光クロスコネクト装置１０−４の光波長分離器１１に入力して分離されたクライアント信号は、光スイッチ１２でクロスコネクトし、Dropポートから出力される。
【０００７】
この光ネットワークシステムにおいて、クライアント信号を伝送する光ファイバ伝送路１，３の経路を光ファイバ伝送路２，４の経路に変更する場合には、光クロスコネクト装置１０−１，１０−３，１０−４の各光スイッチ１２を破線のように設定すればよい。
【０００８】
このような光クロスコネクト装置では、光スイッチの故障に備えて予め複数の光スイッチを有し、一方を現用、他方を予備とすることが一般的である。図１１は、現用・予備の切り替えを行う従来の光クロスコネクト装置の構成例を示す。本構成例では、入力光ファイバ伝送路１〜Ｍに接続される光波長分離器１１でそれぞれＮ本に分離された入力光信号１〜（Ｎ×Ｍ）と、Ｋ本のＡddポートから入力する入力光信号（Ｎ×Ｍ＋１）〜（Ｎ×Ｍ＋Ｋ）は、それぞれ光カプラ１４で２分岐し、それぞれの一方が現用の光スイッチ１２−１の各入力ポートに入力し、それぞれの他方が予備の光スイッチ１２−２の各入力ポートに入力する。光スイッチ１２−１，１２−２の対となる出力ポートからそれぞれ出力される２つの出力光信号は、光切替器１５でその一方が選択され、出力光信号１〜（Ｎ×Ｍ）と出力光信号（Ｎ×Ｍ＋１）〜（Ｎ×Ｍ＋Ｋ）として出力される。出力光信号１〜（Ｎ×Ｍ）は、出力光ファイバ伝送路１〜Ｍに接続される光波長多重器１３でそれぞれＮ本ずつ波長多重して出力され、出力光信号（Ｎ×Ｍ＋１）〜（Ｎ×Ｍ＋Ｋ）はＫ本のDropポートから出力される。
【０００９】
ここで、光切替器１５は、光スイッチ１２−１，１２−２のうち現用の光スイッチ１２−１が正常であればその出力を選択し、現用の光スイッチ１２−１が故障すれば予備の光スイッチ１２−２の出力を選択する。また、光カプラ１４に代えて光切替器を用いることも可能であるが、その場合には、入力側の光切替器と出力側の光切替器１５を同期して切り替えることが望ましい。
【００１０】
また、光波長分離器１１の入力側に光カプラ１４（または光切替器）を配置し、光波長多重器１３の出力側に光切替器１５を配置してもよく、その場合には、予備の光スイッチ１２−２の入力側に光波長分離器１１を配置し、出力側に光波長多重器１３を配置する構成となる。
【特許文献１】特開平６−２９２２４６号公報
【発明の開示】
【発明が解決しようとする課題】
【００１１】
ところで、図１１に示す光クロスコネクト装置の構成は、光スイッチを二重化し、現用の光スイッチが故障した場合に予備の光スイッチに切り替えることにより、光クロスコネクト装置さらに光ネットワークシステムの信頼性を高める構成になっている。
【００１２】
一方、光ネットワークシステムは、図１０に示すように、例えば光ファイバ伝送路１，３の経路に障害が発生した場合には、他方の光ファイバ伝送路２，４の経路に切り替えることが可能な構成である。しかし、無瞬断で経路の切り替えを行うには、同じ光信号を異なる経路で並列に伝送する光ファイバ伝送路の二重化構成が有効である。すなわち、送信側で光信号を２分岐して経路の異なる光ファイバ伝送路に並列に送出し、一方の光ファイバ伝送路に障害があったときに他方の光ファイバ伝送路を介して伝送された光信号を受信側で選択する構成である。
【００１３】
ところが、図１１に示すような光クロスコネクト装置は、光スイッチの二重化に対応しているものの、そのままでは光ファイバ伝送路の二重化に対応できない。たとえば、送信側の光クロスコネクト装置において、光切替器１５は光スイッチ１２−１，１２−２の各出力を２対１で選択する構成であり、二重化した光ファイバ伝送路に並列に光信号を送出できない。そこで、光切替器１５の出力を光カプラ等で２分岐し、同じ光信号を二重化した光ファイバ伝送路に並列に送出する構成にすると、二重化した光ファイバ伝送路に固定的に光信号が常時送出されることになって伝送路を占有し、また必要に応じて送出を止めることもできず、都合が悪い。
【００１４】
また、受信側の光クロスコネクト装置でも、光スイッチ１２−１，１２−２の各入力側で光カプラ１４（または光切替器）を用いた構成では、二重化した光ファイバ伝送路から入力する同じ光信号の一方を選択することはできない。
【００１５】
このように、光スイッチの二重化および光ファイバ伝送路の二重化に共に対応するには、光クロスコネクト装置の光カプラや光切替器の構成を変更する必要がある。
【００１６】
本発明は、簡単な構成で、光信号の経路を切り替える光スイッチの冗長化および伝送路の冗長化に柔軟に対応することができる光クロスコネクト装置を提供することを目的とする。
【課題を解決するための手段】
【００１７】
第１の発明は、複数の入力ポートおよび複数の出力ポートを有し、それぞれ入出力ポート間を任意に接続する第１の光スイッチおよび第２の光スイッチと、複数の入力光信号をそれぞれ分岐し、第１の光スイッチおよび第２の光スイッチの各入力ポートに接続する複数の１入力２出力光分岐手段と、第１の光スイッチおよび第２の光スイッチの出力ポートからそれぞれ出力される１入力２出力光分岐手段で分岐の光信号を入力し、その一方を選択して出力光信号として出力する複数の２入力１出力光切替手段とを備えた光クロスコネクト装置において、複数の２入力１出力光切替手段の一部または全部について、第１の光スイッチおよび第２の光スイッチの出力ポートからそれぞれ出力される光信号を入力し、その一方を選択して出力するモードと、各光信号を並列に出力するモードを有する２入力２出力光切替手段に置き換える。
【００１８】
第１の発明において、２入力２出力光切替手段から並列に出力される２つの出力光信号は、異なる経路の伝送路にそれぞれ送出される構成としてもよい。
【００１９】
第２の発明は、複数の入力ポートおよび複数の出力ポートを有し、それぞれ入出力ポート間を任意に接続する第１の光スイッチおよび第２の光スイッチと、複数の入力光信号をそれぞれ分岐し、第１の光スイッチおよび第２の光スイッチの各入力ポートに接続する複数の１入力２出力光分岐手段と、第１の光スイッチおよび第２の光スイッチの出力ポートからそれぞれ出力される１入力２出力光分岐手段で分岐の光信号を入力し、その一方を選択して出力光信号として出力する複数の２入力１出力光切替手段とを備えた光クロスコネクト装置において、複数の１入力２出力光分岐手段の一部または全部について、送信側で２分岐して異なる経路の伝送路を介して伝送された２つの入力光信号を入力し、その一方の入力光信号を第１の光スイッチまたは第２の光スイッチの各入力ポートのいずれかに出力するモードと、２つの入力光信号を第１の光スイッチおよび第２の光スイッチの各入力ポートにそれぞれ並列に出力するモードを有する２入力２出力光切替手段に置き換える。
【００２０】
第３の発明は、複数の入力ポートおよび複数の出力ポートを有し、それぞれ入出力ポート間を任意に接続する第１の光スイッチおよび第２の光スイッチと、複数の入力光信号をそれぞれ分岐し、第１の光スイッチおよび第２の光スイッチの各入力ポートに接続する複数の１入力２出力光分岐手段と、第１の光スイッチおよび第２の光スイッチの出力ポートからそれぞれ出力される１入力２出力光分岐手段で分岐の光信号を入力し、その一方を選択して出力光信号として出力する複数の２入力１出力光切替手段とを備えた光クロスコネクト装置において、複数の１入力２出力光分岐手段の一部または全部について、送信側で２分岐して異なる経路の伝送路を介して伝送された２つの入力光信号を入力し、その一方の入力光信号を第１の光スイッチまたは第２の光スイッチの各入力ポートのいずれかに出力するモードと、２つの入力光信号を第１の光スイッチおよび第２の光スイッチの各入力ポートにそれぞれ並列に出力するモードを有する第１の２入力２出力光切替手段に置き換え、複数の２入力１出力光切替手段の一部または全部について、第１の光スイッチおよび第２の光スイッチの出力ポートからそれぞれ出力される光信号を入力し、その一方を選択して出力するモードと、各光信号を並列に出力するモードを有する第２の２入力２出力光切替手段に置き換える。
【００２１】
第３の発明において、第２の２入力２出力光切替手段から並列に出力される２つの出力光信号をそれぞれ電気信号に変換し、各電気信号の遅延差を調整し、その一方を選択して出力する選択手段を備えてもよい。
【００２２】
また、第１の発明において、１入力２出力光分岐手段の前段または後段に光波長分離器を備え、２入力１出力光切替手段および２入力２出力光切替手段の前段または後段に光波長多重器を備えてもよい。第２の発明において、１入力２出力光分岐手段および２入力２出力光切替手段の前段または後段に光波長分離器を備え、２入力１出力光切替手段の前段または後段に光波長多重器を備えてもよい。第３の発明において、１入力２出力光分岐手段および第１の２入力２出力光切替手段の前段または後段に光波長分離器を備え、２入力１出力光切替手段および第２の２入力２出力光切替手段の前段または後段に光波長多重器を備えてもよい。
【発明の効果】
【００２３】
本発明の光クロスコネクト装置は、光スイッチの出力側に配置される２入力２出力光切替手段において、２入力の一方を選択して出力するモードでは、一方の光スイッチの故障に対して他方の光スイッチの出力を選択することが可能となる。さらに、２入力の光信号を並列に出力するモードでは、光スイッチの入力側で２分岐した光信号が２つの光スイッチを介してそれぞれ出力されるときに、そのまま異なる経路の伝送路にそれぞれ送出させることができる。
【００２４】
また、本発明の光クロスコネクト装置は、光スイッチの入力側に配置される２入力２出力光切替手段において、送信側で２分岐して異なる経路の伝送路を介して伝送された２つの入力光信号の一方を選択し、２つの光スイッチの一方に接続するモードでは、一方の光スイッチの故障に対して他方の光スイッチを選択することが可能となる。さらに、２入力の光信号を並列に２つの光スイッチに出力するモードでは、光スイッチの出力ポートからそのまま異なる経路の伝送路にそれぞれ送出させることができる。
【００２５】
これにより、光スイッチの冗長構成と、伝送路の冗長構成の双方に対応する光クロスコネクト装置を実現することができる。すなわち、本発明の光クロスコネクト装置は、簡単な構成で、運用状態に応じて光スイッチおよび伝送路の予備系構成を実現でき、経済的で安定な動作が可能になり、光ネットワークシステムの信頼性を増大させ、運用性の向上を図ることができる。
【発明を実施するための最良の形態】
【００２６】
（本発明の光クロスコネクト装置の実施形態）
図１は、本発明の光クロスコネクト装置の実施形態を示す。
図において、光クロスコネクト装置１０−１〜１０−４は、それぞれ現用の光スイッチ１２−１および予備の光スイッチ１２−２を有する。本実施形態の光クロスコネクト装置を含む光ネットワークシステムは、図９および図１０に示す光ネットワークシステムの構成と同様に、光クロスコネクト装置１０−１と光クロスコネクト装置１０−２，１０−３がそれぞれ光ファイバ伝送路１，２を介して接続され、光クロスコネクト装置１０−２，１０−３と光クロスコネクト装置１０−４がそれぞれ光ファイバ伝送路３，４を介して接続される。
【００２７】
本実施形態では、さらに光クロスコネクト装置１０−１と光クロスコネクト装置１０−３を冗長系の光ファイバ伝送路５を介して接続し、光クロスコネクト装置１０−３と光クロスコネクト装置１０−４を冗長系の光ファイバ伝送路６を介して接続する構成を想定する。なお、光クロスコネクト装置１０−３は、光クロスコネクト装置１０−１，１０−４と同様に、冗長系の光ファイバ伝送路５，６に対応するポートを設けてもよい。
【００２８】
本発明は、光クロスコネクト装置１０−１の光スイッチ１２−１，１２−２の出力側の光切替器（図１１の１５）に代えて、現用・予備の切り替えに対応するモードと、光ファイバ伝送路の二重化に対応するモードを実現できる光切替器１６を用いることを特徴とする。また、光クロスコネクト装置１０−２〜１０−４の光スイッチ１２−１，１２−２の入力側の光カプラ（図１１の１４）および出力側の光切替器（図１１の１５）に代えて、現用・予備の切り替えに対応するモードと、光ファイバ伝送路の二重化に対応するモードを実現できる光切替器１７，１８を用いることを特徴とする。
【００２９】
ここで、現用・予備の切り替えに対応するモードと、光ファイバ伝送路の二重化に対応するモードについて、図２および図３を参照して説明する。
【００３０】
光クロスコネクト装置１０−１の光切替器１６は、図２(a) に示す現用の光スイッチ１２−１の出力を選択するモード１と、図２(b) に示す予備の光スイッチ１２−２の出力を選択するモード２と、図３(a) に示す光スイッチ１２−１，１２−２の各出力を二重化した光ファイバ伝送路に並列に出力するモード３を有する。なお、モード１とモード２は、正常な方の光スイッチを現用優先で選択するモードである。
【００３１】
光クロスコネクト装置１０−４の光スイッチ１２−１，１２−２の入力側の光切替器１７は、図２(c) に示す現用の光スイッチ１２−１を選択して入力するモード１と、図２(d) に示す予備の光スイッチ１２−２選択して入力するモード２と、図３(b) 〜(d) に示す二重化した光ファイバ伝送路から並列に入力する光信号をそれぞれ光スイッチ１２−１，１２−２に入力するモード３を有する。光クロスコネクト装置１０−２〜１０−４の光スイッチ１２−１，１２−２の出力側の光切替器１８は、図２(c) および図３(b) に示す現用の光スイッチ１２−１の出力を選択するモード１と、図２(d) および図３(c) に示す予備の光スイッチ１２−２の出力を選択するモード２と、図３(d) に示す光スイッチ１２−１，１２−２の各出力を並列に出力し、後段でその一方を選択するモード３を有する。
【００３２】
以上の各モードを実現する光切替器１６，１７，１８としては、例えばＭＥＭＳ光スイッチなどの空間光スイッチを利用することにより可能である。
【００３３】
（光クロスコネクト装置１０−１の構成例）
図４は、光切替器１６を含む光クロスコネクト装置１０−１の構成例を示す。
図において、光スイッチ１２−１，１２−２と光ファイバ伝送路１に接続される光波長多重器１３との間に、２入力２出力の光切替器１６を配置し、光切替器１６の２入力をそれぞれ光スイッチ１２−１，１２−２の対となる出力ポートに接続し、光切替器１６の一方の出力を光波長多重器１３に接続し、他方の出力を冗長系の光ファイバ伝送路５に接続される光波長多重器１３′に接続する。この光切替器１６は、図２(a),(b) および図３(a) に示すモード１〜３を実現する構成である。なお、ここでは、光切替器１６を波長多重するＮ本の光信号の経路の全部に備えているが、必ずしも全部に備える必要はなく、所定数のパッケージ単位で従来の光切替器１５と本発明における光切替器１６を混在させてもよい。他の光ファイバ伝送路に対応する経路においても同様である。これらの複数の光切替器１６をまとめて空間光スイッチを構成してもよい。
【００３４】
（光クロスコネクト装置１０−４の構成例）
図５は、光切替器１７，１８を含む光クロスコネクト装置１０−４の構成例を示す。
図において、光ファイバ伝送路３に接続される光波長分離器１１と光スイッチ１２−１，１２−２との間に、２入力２出力の光切替器１７を配置し、光切替器１７の一方の入力を光波長分離器１１に接続し、他方の入力を冗長系の光ファイバ伝送路６に接続される光波長分離器１１′に接続し、光切替器１７の２出力をそれぞれ光スイッチ１２−１，１２−２の対となる入力ポートに接続する。この光切替器１７は、図２(c),(d) および図３(b) 〜(d) に示すモード１〜３を実現する構成である。なお、ここでは、光切替器１７を波長分離するＮ本の光信号の経路の全部に備えているが、必ずしも全部に備える必要はなく、所定数のパッケージ単位で従来の光カプラ１４と本発明における光切替器１７を混在させてもよい。他の光ファイバ伝送路に対応する経路においても同様である。これらの複数の光切替器１７をまとめて空間光スイッチを構成してもよい。
【００３５】
さらに、光スイッチ１２−１，１２−２とDropポートとの間に、２入力２出力の光切替器１８を配置し、光切替器１８の２入力をそれぞれ光スイッチ１２−１，１２−２の対となる出力ポートに接続し、光切替器１８の一方の出力を正規のDropポートに接続し、他方の出力を冗長系のDropポートに接続する。この光切替器１８は、図３(b) 〜(d) に示すモード１〜３を実現する構成である。
【００３６】
（光クロスコネクト装置１０−２，１０−３の構成例）
光クロスコネクト装置１０−２，１０−３において、冗長系の光ファイバ伝送路５，６に対応するには、図６に示すように、光スイッチ１２−１，１２−２の入力側に図５に示す光切替器１７を配置し、出力側に図４に示す光切替器１６を配置する構成とすればよい。
【００３７】
図７は、光切替器１８のモード１〜３に対応するDropポートの構成例を示す。
図において、異なる経路の光ファイバ伝送路を介して伝送された２つの光信号は、それぞれ光スイッチ１２−１，１２−２を介して並列に出力される。この２つの光信号は、それぞれ光電気変換器２１−１，２１−２で光電気変換し、遅延調整器２２−１，２２−２で各伝送路間の遅延差（位相差）を調整し、選択器２３でいずれか一方を選択出力する。
【００３８】
これにより、光スイッチ１２−１，１２−２の一方、または二重化された光ファイバ伝送路の一方に障害がある場合には、光切替器１８をモード３に設定するとともに、選択器２３により正常な受信信号を選択出力することにより、ビット欠落させることなく無瞬断切替が可能である。なお、光スイッチ１２−１，１２−２の一方に故障が発生した場合には、光切替器１８をモード１またはモード２に設定し、選択器２３で正常な受信信号を選択出力させることも可能である。
【００３９】
（本発明の光クロスコネクト装置の他の利用例）
図８は、本発明の光クロスコネクト装置の他の利用例を示す。
本発明の光クロスコネクト装置は、光スイッチの二重化に対応しながら光ファイバ伝送路の二重化にも対応可能な構成である。そのために、光切替器１６はモード１〜３の設定が可能な構成になっている。光切替器１６のモード３は、同じ光信号が２つの光ファイバ伝送路に並列に送出される設定であり、この機能を利用して図８に示すようなマルチキャスト伝送システムが可能になる。すなわち、光クロスコネクト装置１０−１は、光ファイバ伝送路１，５を介して光クロスコネクト装置１０−２，１０−３にマルチキャスト送信する。同様に、光クロスコネクト装置１０−２，１０−３，１０−４も同様である。
【００４０】
また、以上説明した光クロスコネクト装置において、光波長分離器１１の入力側に光切替器１７を配置し、光波長多重器１３の出力側に光切替器１６を配置してもよく、その場合には、予備の光スイッチ１２−２の入力側に光波長分離器１１を配置し、出力側に光波長多重器１３を配置する構成とすればよい。
【図面の簡単な説明】
【００４１】
【図１】本発明の光クロスコネクト装置の実施形態を示す図。
【図２】光切替器のモード説明１を示す図。
【図３】光切替器のモード説明２を示す図。
【図４】光切替器１６を含む光クロスコネクト装置１０−１の構成例を示す図。
【図５】光切替器１７，１８を含む光クロスコネクト装置１０−４の構成例を示す図。
【図６】光切替器１７，１８を含む光クロスコネクト装置１０−２，１０−３の構成例を示す図。
【図７】光切替器１８のモード１〜３に対応するDropポートの構成例を示す図。
【図８】本発明の光クロスコネクト装置の他の利用例を示す図。
【図９】光クロスコネクト装置を含む光ネットワークシステムの構成例を示す図。
【図１０】クライアント信号の経路の例を示す図。
【図１１】従来の光クロスコネクト装置の構成例を示す図。
【符号の説明】
【００４２】
１，２，３，４，５，６  光ファイバ伝送路
１１  光波長分離器
１２  光スイッチ
１３  光波長多重器
１４  光カプラ
１５  光切替器
１６，１７，１８  光切替器
２１  光電気変換器
２２  遅延調整器
２３  選択器
【図１】
0004819786.tif 000002
【図２】
0004819786.tif 000003
【図３】
0004819786.tif 000004
【図４】
0004819786.tif 000005
【図５】
0004819786.tif 000006
【図６】
0004819786.tif 000007
【図７】
0004819786.tif 000008
【図８】
0004819786.tif 000009
【図９】
0004819786.tif 000010
【図１０】
0004819786.tif 000011
【図１１】
0004819786.tif 000012